(57)【特許請求の範囲】
【請求項１】
グリップを兼ねる本体部（１）と、左右傾動可能なヘッド部（３）とを備えており、
ヘッド部（３）には、内刃（１６）と、外刃（１７）と、内刃（１６）を駆動するモーター（２０）とが設けられており、
ヘッド部（３）の内部に、ヘッド部（３）を少なくとも上下方向に振動させて外刃（１７）を肌面とほぼ直交する向きに振動させる起振構造が配置してあることを特徴とする電気かみそり。
【請求項２】
起振構造は、モーター（２０・７１）と偏心重り（５１・７２）とを含み、ヘッド部（３）の内部に配置してあり、
モーター（２０・７１）を横置き配置して、ヘッド部（３）を前後、上下方向を含む、偏心重り（５１・７２）の回転平面の全方位方向へ振動させる請求項１記載の電気かみそり。
【請求項３】
ヘッド部（３）は、本体部（１）で浮動可能に支持される請求項１または２記載の電気かみそり。
【発明の詳細な説明】
【技術分野】
【０００１】
本発明は、ヘッド部を強制的に振動させるための起振構造を備えた電気かみそりに関する。
【背景技術】
【０００２】
この種の電気かみそりは、例えば特許文献１および特許文献２に公知である。いずれも、偏心重りをモーター動力で回転駆動することによって振動を生じさせている。特許文献１では起振構造をヘッド部の内部に配置し、特許文献２では起振構造を本体部の内部に組み込んでいる。
【先行技術文献】
【特許文献】
【０００３】
【特許文献１】特開昭５１−５８１６７号公報（第１頁左欄下段、第１図）
【特許文献２】特開昭５８−９４８８１号公報（第２頁右上欄、第３図）
【発明の概要】
【発明が解決しようとする課題】
【０００４】
上記の起振構造を備えた電気かみそりによれば、ヘッド部を振動させることによって癖ひげなどを肌面から起こし、あるいは肌面を震わせてひげを皮膚の表面に突出させることにより、ひげ切断を効果的に行える。しかし、ヘッド部と本体部とが一体化されているので、起振構造で発生した振動が手に伝わるのを避けられない。とくに、特許文献２の電気かみそりにおいては、グリップを兼ねる本体部の内部に起振構造が配されているので、手に振動が伝わりやすく、使用者に不快感を与えるおそれがある。
【０００５】
本発明の目的は、ヘッド部を振動でき、したがって起振構造で発生した振動が使用者の手に伝わるのを避けながら、癖ひげなどを肌面から起こしてひげ切断を効果的に行える電気かみそりを提供することにある。
【課題を解決するための手段】
【０００６】
本発明の電気かみそりは、グリップを兼ねる本体部１と、左右傾動可能なヘッド部３とを備えている。ヘッド部３には、内刃１６と、外刃１７と、内刃１６を駆動するモーター２０とが設けられている。以て、ヘッド部３の内部には、ヘッド部３を少なくとも上下方向に振動させて外刃１７を肌面とほぼ直交する向きに振動させる起振構造が配置してあることを特徴とする。
【０００７】
上記起振構造は、モーター２０・７１と偏心重り５１・７２とを含み、ヘッド部３の内部に配置してある。このモーター２０・７１を横置き配置して、ヘッド部３を前後、上下方向を含む、偏心重り５１・７２の回転平面の全方位方向へ振動させることを特徴とする。
【０００８】
また、ヘッド部３は、本体部１で浮動可能に支持される。
【発明の効果】
【０００９】
本発明では、内刃１６と、外刃１７と、内刃１７を駆動するモーター２０が設けられるヘッド部３の内部に、ヘッド部３を少なくとも上下方向に振動させて外刃１７を肌面とほぼ直交する向きに振動させる起振構造を配置しているので、倒れこんだ癖ひげなどを肌面から起こし、あるいは肌面を震わせてひげを皮膚の表面に突出させることができる。これにより、ひげ切断を効果的に行える。また、ヘッド部３は、左右傾動可能なため、ヘッド部３を肌面の変化に追随して傾動でき、ひげ切断をより適正に行うことができる。
【００１０】
また、起振構造は、横置き配置したモーター２０・７１と偏心重り５１・７２とを含み、双方ともヘッド部３の内部に配置しているので、ヘッド部３を前後、上下方向を含む、偏心重り５１・７２の回転平面の全方位方向へ振動させることができつつ、偏心重り５１・７２を回転することによって発生する振動を本体部１に伝わるのを防ぐことができる。
【００１１】
さらに、本体部１でヘッド部３を浮動可能に支持することで、ヘッド部３の振動動作と浮動動作とが融合した変化に富む動きで肌面を震わせることができる。
【図面の簡単な説明】
【００１２】
【図１】実施例１のヘッド部の内部構造を示す縦断正面図
【図２】実施例１の電気かみそりの正面図
【図３】実施例１の電気かみそりの縦断側面図
【図４】実施例１のヘッド部の縦断正面図
【図５】実施例２のヘッド部の縦断正面図
【図６】実施例３のヘッド部の縦断正面図
【図７】実施例４のヘッド部の概略縦断正面図
【図８】図７の縦断側面図
【発明を実施するための形態】
【００１３】
（実施例１）  図１ないし図４は本発明に係る電気かみそりの実施例１を示す。図２および図３において電気かみそりは、グリップを兼ねる卵形の本体部１と、本体部１に連続して上向きに突設された左右一対の支持腕２と、支持腕２に浮動支持されるヘッド部３とを備えている。
【００１４】
図３において本体部１は、支持腕２が一体に形成された前ケース１ａと、前ケース１ａの後面を覆う後ケース１ｂと、後ケース１ｂの後面に被せ付けられる化粧カバー１ｃと、前ケース１ａの前面に装着されるスイッチパネル１ｄなどで構成する。各支持腕２の殆どの部分は前ケース１ａと一体に形成するが、各支持腕２の後面下部は後ケース１ｂと一体に形成する。左右の支持腕２の下部はＵ字状に連続して、前後ケース１ａ・１ｂの上部に滑らかに融合している。
【００１５】
前ケース１ａと後ケース１ｂとの間に形成した水密状の収容区画５の内部には、回路基板６と２個の２次電池７とを収容してある。２個の２次電池７は、上下に隣接するよう配置する。支持腕２の内部は中空になっており、この中空部分を介して給電リードを配線する。スイッチパネル１ｄの上部湾曲面には、押しボタン型のスイッチボタン９を設ける。このスイッチボタン９を押し込み操作することによって、回路基板６に実装したスイッチをオン・オフして、後述するモーター２０を起動あるいは停止できる。符号１０はスイッチボタン９がオン操作されたとき点灯する第１表示灯、符号１１は充電時に点灯する第２表示灯である。
【００１６】
図３および図４においてヘッド部３は、ヘッドケース１５と、ヘッドケース１５に組み込まれる内刃１６、外刃１７および外刃ホルダー１８と、内刃駆動用のモーター２０と、モーター２０を収容するハウジング２１と、モーター２０の回転動力を内刃１６に伝動するギヤ機構（動力伝動機構）などで構成する。
【００１７】
ヘッドケース１５は、前後に分割される半円筒状の前ハーフ１５ａおよび後ハーフ１５ｂを蓋合わせ状に接合して構成する（図４参照）。ヘッドケース１５の上面には、外刃ホルダー１８を外嵌装着するための装着座２２が膨出形成されており、下面両側に左右一対の支持脚２３が突設されている。支持脚２３は中空筒状に形成されていて、給電リードの配線空間を兼ねている。前ハーフ１５ａの左右両側には、後述するロック解除ボタン４２を受け止めるリング状の側壁２４が一体に張り出し形成されている。
【００１８】
内刃１６はロータリー刃であり、その両端の軸部分が、ハウジング２１の上部に装着した内刃支持台２６に回転自在に軸支されている。外刃１７は網刃で形成されており、外刃ホルダー１８によってアーチ状に保形支持され、図３に示すばねユニット１９で引っ張り付勢してある。モーター２０をハウジング２１内に横置き配置して水密状に封止することにより、ヘッド部３は水洗い可能である。モーター２０の出力軸２５は、ハウジング２１の両側から突設されており、その右端側に前記ギヤ機構が設けられ、左端側に後述する起振構造５０が設けてある。
【００１９】
図４においてハウジング２１は、左右方向に分割される有底筒状の主ケース２８と、主ケース２８の開口を塞ぐキャップ２９と、両者２８・２９を分離不能に挟持固定するクリップ３０とを含む。図１において主ケース２８とキャップ２９との接合部分は、パッキン３１でシールする。主ケース２８と出力軸２５との間はパッキン３２でシールされ、キャップ２９と出力軸２５との間には、軸受３３とパッキン３４とが配されている。
【００２０】
モーター２０を収容したハウジング２１は、前ハーフ１５ａと後ハーフ１５ｂとで前後に挟み、両ハーフ１５ａ・１５ｂの接合縁を互いに係合し、さらに上側接合面の左右を一対のビス３５で締結することにより、ヘッドケース１５と一体化する。この組み付け状態においては、ビス３５で締結されるヘッドケース１５の接合面が、主ケース２８およびキャップ２９に設けた一対の内刃ブラケット３６・３６間に嵌り込むので、ハウジング２１が左右方向へ動くのを規制できる。モーター２０、ハウジング２１、内刃ブラケット３６、内刃支持台２６、内刃１６と、ギヤ機構などによって駆動部Ｄが構成され、その一側に後述する起振構造５０を組み込んでいる。
【００２１】
図１においてギヤ機構は、出力軸２５に固定した原動ギヤ３８と、内刃１６の一方の軸端に固定した終段ギヤ３９と、両ギヤ３８・３９間に配置される３個の中間ギヤとで構成されている。これらのギヤ群の外側面はギヤカバー４０で覆われている。
【００２２】
ヘッドケース１５の装着座２２に装着した外刃ホルダー１８をロック保持するために、側壁２４の内面にはロック解除ボタン４２を配置し、その脚部４３を側壁２４に固定してある。脚部４３の弾性力に抗してロック解除ボタン４２を押し込み操作すると、ボタン上部に設けたロック爪４４と、外刃ホルダー１８に設けたロック凹部４５との係合状態が解除されるので、外刃ホルダー１８を装着座２２から取り外すことができる。
【００２３】
上記構成のヘッド部３は、一対の支持腕２で上下動可能に、しかも左右傾動可能に浮動支持される。詳しくは、図１に示すように、一対の支持脚２３を左右の支持腕２に設けたガイド穴４６で上下スライド自在に案内支持し、支持脚２３に外嵌する圧縮コイル形のばね４７で、ヘッド部３の全体を押し上げ付勢する。ばね４７の下端側はガイド穴４６の上周縁壁で受け止める。支持脚２３の下端寄りにはストッパー爪４８を形成してあり、このストッパー爪４８をガイド穴４６の下周縁壁で受け止めることにより、ヘッド部３を抜け外れ不能に保持できる。
【００２４】
上記のように、ヘッド部３を一対の支持腕２で浮動支持すると、ヘッド部３が左右傾動し、あるいは左右同時に上下浮動できるので、ヘッド部３を肌面の変化に追随して傾動でき、肌面を傷つけることもなく、ひげ切断をより適正に行うことができる。支持脚２３を支えるガイド穴４６は左右の支持腕２と一体に成形したので、ヘッド部３に作用する外力を支持腕２で確りと受け止める。因みに、各支持腕２の全ての部分が前後に分割してある場合には、前後方向の外力がヘッド部３に作用するとき、前後ケース１ａ・１ｂが支持腕２の接合部分で前後に開くおそれがあり、使用時にヘッド部３ががたつき、あるいは円滑な浮動動作を行えない。
【００２５】
使用時のひげ切断をより効果的に行うために、ヘッドケース１５内にはヘッド部３を振動させる起振構造５０を有する。その起振構造５０は、先に説明した内刃駆動用のモーター２０を駆動源にしている。詳しくは、図１に示すごとくハウジング２１の左方から突出する出力軸２５に固定される偏心重り５１と、偏心重り５１を回転駆動するモーター２０とで起振構造５０を構成する。図４において偏心重り５１は、おむすび形の金属ブロックからなり、その頂部近傍に設けた装着穴５２を出力軸２５に外嵌固定する。これにより、重りの重心Ｇは出力軸２５の中心から離れた偏心位置に位置させることができる。
【００２６】
重りの重心Ｇが出力軸２５に対して偏心していると、モーター２０で回転駆動されるときの偏心重り５１の慣性２次モーメントによって振動を発生させて、ヘッド部３を強制的に振動させることができる。この実施例のモーター２０の駆動回転数は８８００ｒｐｍであるので、ヘッド部３に作用する振動は１４７Ｈｚとなる。ヘッド部３は前後、上下方向を含む、偏心重り５１の回転平面の全方位方向へ振動するが、ヘッド部３が浮動支持構造で支持してあるので、浮動方向（上下方向）へ振動する傾向を生じ、ヘッド部３の浮動動作と、その振動動作とが融合した、変化に富む動きで肌面を震わせることができる。
【００２７】
上記の起振構造５０を備えた電気かみそりによれば、ヘッド部３の振動によって肌面に倒れこんだ癖ひげを起こし、あるいは肌面を震わせてひげを皮膚の表面に突出させることができるので、ひげをより速やかに、しかもより短く切断でき、従来の一般的な電気かみそりに比べてひげ切断を効果的に行える。さらに、ヘッド部３が一対の支持腕２でばね４７を介して浮動支持されているので、ヘッド部３を振動させながら、その振動が本体部１へ伝わるのを防止できる。したがって、本体部１を握る手に振動が伝わるのを確実に防止できる。
【００２８】
浮動支持されたヘッド部３を、浮動方向へ上下振動させて肌面を外刃１７で震わせることにより深ぞりできる利点もある。起振構造５０で発生した振動を駆動部Ｄから外刃１７に伝え、外刃１７に密着する肌面を震わせるので、外刃１７を内刃１６に密着させた状態のままで、肌面に振動を与えながらひげ切断を行える。つまり、切れ味を維持した状態のままで、肌面を震わせて効果的にひげ切断を行える。外刃１７はばねユニット１９で常に引張り付勢してあるので、振動が加えられても内刃１６に密着した状態を常に維持して、鋭敏な切れ味を保持し続けることができる。
【００２９】
（実施例２）  図５は本発明の実施例２を示す。そこでは、ヘッド部３の一側に、往復動型の切断刃ユニット５５を設け、切断刃ユニット５５を利用して起振構造５０を構成した。切断刃ユニット５５は、網刃からなる外刃（固定刃）５６と、内刃（可動刃）５７と、外刃５６をアーチ状に保形するホルダー５８とを含み、モーター２０の回転動力を往復動力に変換するカム機構で内刃５７が往復駆動される。
【００３０】
内刃５７は、一群の小刃５７ａを起振重り６０に固定して構成する。起振重り６０は、上下に長い直方体状の金属ブロックからなり、その前後面がヘッドケース１５に固定のガイド板６１で上下スライド自在に案内支持される。カム機構は、出力軸２５に固定の偏心カム６２と、偏心カム６２に固定の駆動ピン６３と係合する水平方向のカム溝６４とで構成する。カム溝６４は起振重り６０に切り欠き形成する。起振構造５０は、カム機構と、カム機構で上下に往復駆動される起振重り６０と、モーター２０とを含む。
【００３１】
他は先の実施例１と実質的に同じであるので、同じ部材には同じ符号を付してその説明を省略する。以下の別実施例においても同様に扱う。上記のように、起振重り６０をモーター２０で上下に往復駆動すると、ヘッド部３を振動させて、外刃１７を肌面とほぼ直交する向きに震わせることができるので、実施例１の電気かみそりと同様にひげ切断を効果的に行える。ヘッド部３の振動の向きが上下方向に集約されるので、肌面を効率よく震わせて、さらに効果的に深ぞりすることができる。なお、ヘッド部３の振動周期は出力軸２５の回転周期に一致する。
【００３２】
（実施例３）  図６は本発明の実施例３を示す。そこでは、実施例１のヘッド部３の内部に、起振構造５０とは別に第２起振構造７０を配置して、両起振構造５０・７０で個々に発生される振動によって肌面を震わせ、さらに両起振構造５０・７０で発生される振動の共振作用によって肌面に多様な振動を作用できるようにした。第２起振構造７０は、第２モーター（モーター）７１と、その出力軸に固定される偏心重り７２とで構成される。第２モーター７１はギヤカバー４０の外側面に固定してあり、モーター２０が８８００ｒｐｍで駆動されるのに対し、第２モーター７１は８５００ｒｐｍで駆動される。
【００３３】
第２起振構造７０は、実施例２で説明した往復動型の起振構造と同様に構成することができる。詳しくは、ヘッドケース１５で上下スライドのみ自在に案内支持される起振重り６０と、起振重り５０を上下に往復駆動する偏心カム６２と、モーター２０などで第２起振構造７０を構成する。この場合には、原動ギヤ３８が固定される出力軸２５を延長して、延長部分に偏心カム６２を固定する。もちろん、第２モーター７１で偏心カム６２を回転駆動してもよい。
【００３４】
（実施例４）  図７および図８は本発明の実施例４を示す。そこでは、ヘッド部３を本体部１で上下動可能に、しかも左右傾動可能に浮動支持し、ヘッド部３内に縦置き配置したモーター２０で内刃１６を回転駆動する。また、モーター２０下面に往復動型の起振構造５０を設けてヘッド部３を上下振動できるようにし、さらに、起振構造５０の往復振動を利用して、本体部１の後面に配置したきわぞり刃ユニット７５を駆動するようにした。
【００３５】
内刃駆動用の動力伝動機構は、モーター２０の出力軸２５に固定した原動ギヤ３８と、フェースギヤ７６、２個の中間ギヤ、および終段ギヤ３９などで構成する。きわぞり刃ユニット７５は、ホルダー８３と固定刃８４、および可動刃８５などを備えており、ユニット全体を起伏変位できる。
【００３６】
起振構造５０は、軸７８で左右揺動自在に支持されるＬ字状の揺動枠７９と、揺動枠７９の一側に固定される起振重り８０と、揺動枠７９を往復駆動する偏心カム８１と、モーター２０などで構成する。出力軸２５の下端に固定した偏心カム８１で揺動枠７９を左右に往復駆動することにより、起振重り８０が上下に往復駆動されて上下方向の振動を発生させることができる。
【００３７】
揺動枠７９の往復動作をきわぞり刃ユニット７５に伝動するために、両者７５・７９の間には、揺動枠７９と同行揺動する中継レバー８６を設ける。中継レバー８６は軸８７で左右揺動可能に支持されており、その下側レバー部分が揺動枠７９に係合連結されている。きわぞり刃ユニット７５は、実線で示す待機姿勢から想像線で示す使用姿勢に切り換えると、可動刃８５の受動片が中継レバー８６の駆動溝８８と係合して往復動力を受け継ぐことができる。
【００３８】
上記の実施例以外に、本発明は往復駆動型の内刃１６を備えている電気かみそりにも適用できる。起振構造による振動の方向は、前後、左右、上下の少なくともいずれかひとつを含んでいればよい。ヘッド部３は本体部１で少なくとも上下方向へ浮動可能に支持してあればよいが、これに加えて前後方向、および左右方向の全方位方向へ浮動可能に支持することができる。実施例３で説明した第２起振構造７０の第２モーター７１は、ヘッドケース１５の側壁２４に固定することができる。
【００３９】
実施例２で説明した往復動型の起振構造５０においては、カム溝６４を備えた振動子と偏心カム６２とで、出力軸２５の回転動作を往復動力に変換したのち、振動子で起振重り６０を往復駆動できる。さらに振動子に起振重り６０を一体的に設けることができる。起振重り６０は、金属粒子が混入されたプラスチック成形品、あるいはプラスチックのみの成形品であってもよい。
【符号の説明】
【００４０】
１  本体部
３  ヘッド部
１５  ヘッドケース
１６  内刃
１７  外刃
２０  モーター
２５  出力軸
５０  起振構造
５１  偏心重り
５５  切断刃ユニット
５６  固定刃
５７  可動刃
６０  起振重り
６２  偏心カム
７０  第２起振構造
７１  第２モーター
７２  偏心重り
【図１】
0004394743.tif 000002
【図２】
0004394743.tif 000003
【図３】
0004394743.tif 000004
【図４】
0004394743.tif 000005
【図５】
0004394743.tif 000006
【図６】
0004394743.tif 000007
【図７】
0004394743.tif 000008
【図８】
0004394743.tif 000009